(57)【特許請求の範囲】
【請求項１】
太陽電池モジュールの枠部に設けられている係止片を支持する係止片支持部と、この係止片支持部を屋根に設置固定する設置固定部と、を有して成り、上記の係止片支持部には、上記係止片の上面を受け止める荷重受け部と、この荷重受け部の軒側端で立ち上がり軒側へ下り傾斜して上記係止片を下方に案内するガイド部と、が形成されていることを特徴とする太陽電池モジュール固定具。
【請求項２】
請求項１に記載の太陽電池モジュール固定具において、当該固定具が屋根上に配置される姿勢で、水平ラインに対する上記ガイド部の立ち上がりの傾斜角度をθとすると、４５°＜θ≦８４°の範囲であることを特徴とする太陽電池モジュール固定具。
【請求項３】
請求項１又は請求項２に記載の太陽電池モジュール固定具において、上記荷重受け部の下方に、上記係止片の下面を受け止める別の荷重受け部が形成されていることを特徴とする太陽電池モジュール固定具。
【請求項４】
請求項１〜請求項３のいずれか１項に記載の太陽電池モジュール固定具において、上記の設置固定部は屋根面上に位置する第１部位と上記屋根面上に位置する横桟を跨ぐ第２部位とを有し、上記第１部位の裏面には当該裏面と屋根面との間に隙間を形成する凸部が形成されていることを特徴とする太陽電池モジュール固定具。
【請求項５】
請求項４に記載の太陽電池モジュール固定具において、上記の横桟は上記第２部位に固着されていることを特徴とする太陽電池モジュール固定具。
【請求項６】
請求項１〜請求項３のいずれか１項に記載の太陽電池モジュール固定具において、上記の設置固定部には、屋根面に配置された横桟に接して当該太陽電池モジュール固定具の位置決めを行う位置決め部位が設けられていることを特徴とする太陽電池モジュール固定具。
【請求項７】
請求項１〜請求項６のいずれか１項に記載の太陽電池モジュール固定具を屋根に固定し、枠部に係止片を有する太陽電池モジュールを上記太陽電池モジュール固定具にて固定する方法であって、上記太陽電池モジュールを軒先の第１段目に配置し、この太陽電池モジュールの後端側を屋根上の瓦桟に載せた状態を維持しながら太陽電池モジュールを回動させ、上記係止片を上記太陽電池モジュール固定具のガイド部にて案内して上記係止片支持部に係止することを特徴とする太陽電池モジュールの屋根上固定方法。
【発明の詳細な説明】
【技術分野】
【０００１】
この発明は、太陽電池モジュールを屋根上に固定する太陽電池モジュール固定具及び太陽電池モジュールの屋根上固定方法に関する。
【背景技術】
【０００２】
太陽電池モジュールを設置することに要したコストを早期に回収するには、屋根面になるべく多くの太陽電池モジュールを設置し、太陽光発電により得られる電力量を増やすことが求められる。このように多くの太陽電池モジュールを屋根上に設置するためには、軒先の第１段目から太陽電池モジュールを配置していけばよいが、このように軒先の第１段目から太陽電池モジュールを配置する場合、軒先付近での作業となることから、太陽電池モジュールの設置の容易化などが求められる。
【０００３】
下記特許文献１は、軒先に配置される太陽電池モジュールの軒側端部（フロントカバーの係止片）を軒先吹上防止具によって保持することを開示する。
【先行技術文献】
【特許文献】
【０００４】
【特許文献１】特開２００９−２９９４５０号公報
【発明の開示】
【発明が解決しようとする課題】
【０００５】
しかしながら、上記軒先吹上防止具の先端部の傾斜角度は屋根の傾斜角度とほぼ同じであり、太陽電池モジュールの後端側を支点に太陽電池モジュールを回動させて上記フロントカバーの係止片を上記軒先吹上防止具に係止させていくことはできない。すなわち、この特許文献１に開示された屋根構造においては、太陽電池モジュールを上記軒先吹上防止具で固定するとき、上記フロントカバーの係止片の位置が上記軒先吹上防止具の先端を越えるように太陽電池モジュールを摺らせて軒先側へ送り込んだ後に、太陽電池モジュールを棟側へ引き上げていく作業が必要になる。そして、この作業においては、太陽電池モジュールを軒先側へ大きく送り込むため、太陽電池モジュールの設置が容易且つ効率的に行われないおそれがある（特許文献１の表１５参照）。
【０００６】
この発明は、太陽電池モジュールを屋根の軒先に設置するときの作業の容易化及び効率化が図れる太陽電池モジュール固定具及び太陽電池モジュールの屋根上固定方法を提供することを課題とする。
【課題を解決するための手段】
【０００７】
この発明の太陽電池モジュール固定具は、上記の課題を解決するために、太陽電池モジュールの枠部に設けられている係止片を支持する係止片支持部と、この係止片支持部を屋根に設置固定する設置固定部と、を有して成り、上記の係止片支持部には、上記係止片の上面を受け止める荷重受け部と、この荷重受け部の軒側端で立ち上がり軒側へ下り傾斜して上記係止片を下方に案内するガイド部と、が形成されていることを特徴とする。
【０００８】
上記構成であれば、上記ガイド部は上記太陽電池モジュールにおける上記係止片を屋根傾斜に平行な方向ではなくて下方へと案内することになる。ここで、太陽電池モジュールを屋根上に配置するときにその後端側を屋根上の瓦桟に載せた状態を維持しながら太陽電池モジュールを回動させると、太陽電池モジュールの先端側の上記係止片は屋根傾斜に平行な方向ではなくて下方側へと位置を変位させていくことになる。したがって、太陽電池モジュールの後端側を屋根上の瓦桟に載せた状態を維持しながら太陽電池モジュールを回動させることを行うと、上記係止片を上記ガイド部によって下方に案内させて上記係止片を上記荷重受け部へと導くことができる。すなわち、太陽電池モジュールを摺らせて軒先方向に大きく送り出すような作業を行わなくても太陽電池モジュールの上記係止片を上記荷重受け部に係止させることが可能となる。これにより、太陽電池モジュールを屋根の軒先に設置するときの作業の容易化及び効率化が図れる。
【０００９】
上記の太陽電池モジュール固定具において、当該固定具が屋根上に配置される姿勢で、水平ラインに対する上記ガイド部の立ち上がりの傾斜角度をθとすると、４５°＜θ≦８４°の範囲とするのがよい。
【００１０】
かかる構成であれば、太陽電池モジュールの後端側を屋根上の瓦桟に載せた状態を維持しながら太陽電池モジュールを回動させて上記係止片を下方に案内させる役割を上記ガイド部が十分に果たすことができるようになる。
【００１１】
上記の太陽電池モジュール固定具において、上記荷重受け部の下方に、上記係止片の下面を受け止める別の荷重受け部が形成されていてもよい。かかる構成であれば、上記荷重受け部によって風荷重を受け止めることができるとともに、上記別の荷重受け部によって積雪荷重も受け止めることができる。
【００１２】
上記の太陽電池モジュール固定具において、上記の設置固定部は屋根面上に位置する第１部位と上記屋根面上に位置する横桟を跨ぐ第２部位とを有し、上記第１部位の裏面には当該裏面と屋根面との間に隙間を形成する凸部が形成されていてもよい。このような構成であれば、屋根面上の雨滴は上記の太陽電池モジュール固定具に遮られることなく、上記第１部位の下を通って軒先へと伝っていくことができる。また、このような太陽電池モジュール固定具において、上記の横桟は上記第２部位に固着されていてもよい。
【００１３】
或いは、上記の太陽電池モジュール固定具において、上記の設置固定部には、屋根面に配置された横桟に接して当該太陽電池モジュール固定具の位置決めを行う位置決め部位が設けられていてもよい。これによれば、上記横桟を基準にして太陽電池モジュールを手際よく正しい位置に配置していくことができる。
【００１４】
また、この発明の太陽電池モジュールの屋根上固定方法は、上記のいずれかの太陽電池モジュール固定具を屋根に固定し、枠部に係止片を有する太陽電池モジュールを上記太陽電池モジュール固定具にて固定する方法であって、上記太陽電池モジュールを軒先の第１段目に配置し、この太陽電池モジュールの後端側を屋根上の瓦桟に載せた状態を維持しながら太陽電池モジュールを回動させ、上記係止片を上記太陽電池モジュール固定具のガイド部にて案内して上記係止片支持部に係止することを特徴とする。
【００１５】
かかる方法であれば、太陽電池モジュールを摺らして軒先方向に大きく送り出すようなことを行わなくても太陽電池モジュールの上記係止片を上記荷重受け部に係止させることが可能となり、太陽電池モジュールを屋根の軒先に設置するときの作業の容易化及び効率化が図れる。
【発明の効果】
【００１６】
本発明であれば、太陽電池モジュールを屋根の軒先に設置するときの作業の容易化及び効率化が図れるという効果を奏する。
【図面の簡単な説明】
【００１７】
【図１】本発明の太陽電池モジュール固定具が適用される太陽電池モジュールの一例を示した斜視断面図である。
【図２】本発明の一実施形態に係る太陽電池モジュール固定具を示した図であって、同図の（Ａ）は太陽電池モジュール固定具の側面図であり、同図の（Ｂ）は同斜視図である。
【図３】図２の太陽電池モジュール固定具を用いた屋根構造を示した構成図である。
【図４】同図の（Ａ）（Ｂ）（Ｃ）は図２の太陽電池モジュール固定具を用いた太陽電池モジュールの屋根上固定の手順を示した説明図である。
【図５】図２の太陽電池モジュール固定具におけるガイド部の角度範囲を説明する説明図である。
【図６】他の実施形態の太陽電池モジュール固定具を用いた屋根構造を示した構成図である。
【発明を実施するための最良の形態】
【００１８】
次に、この発明の実施形態に係る太陽電池モジュール固定具及び太陽電池モジュールの屋根上固定方法を添付図面に基づいて具体的に説明する。なお、本発明に係る太陽電池モジュール固定具及び太陽電池モジュールの屋根上固定方法は、下記の実施形態に示したものに限定されず、その要旨を変更しない範囲において適宜変更して実施できるものである。
【００１９】
図１に示すように、瓦型太陽電池モジュール（以下、単に太陽電池モジュールという）１は、太陽電池パネル部１４の周囲縁を枠１１によって囲った構造を有している。上記太陽電池パネル部１４は光起電力層を挟み込んだガラス板部、上記光起電力層にて生成された電力を取り出す配線部などを有して構成されている。上記枠１１は、上記太陽電池パネル部１４を表裏から挟み込む対向部位と上記太陽電池パネル部１４の端面に面して位置する側板部位とを有する。上記枠１１における水下側部分の上記側板部位には側板部位延長部１１ａが形成されている。この側板部位延長部１１ａには、係止片１２がビス１３によって固定されている。この係止片１２は、上記側板部位延長部１１ａに接する接合部分およびこの接合部分から上記太陽電池パネル部１４の下方側へと折れて入り込む係止部分を有した略Ｌ字形状を有している。上記係止片１２は、ビス１３に限らず例えばリベットによって側板部位延長部１１ａに固定されていてもよいし、また、上記枠１１に一体的に形成されたものでもよい。
【００２０】
上記の枠１１における上記側板部位延長部１１ａよりも上側の位置には、係止突起１５・１５が設けられており、この係止突起１５・１５に前カバー１６が係止されている。
【００２１】
上記の枠１１については、図１で示されるような断面コ字形状のものに限るものではないし、上記枠１１の上記対向部位と太陽電池パネル部１４の表面に段差ができるものに限るものでもない（例えば図４の太陽電池モジュール１参照）。また、太陽電池モジュール１における水上側のモジュール係止構造は、図４に示しているように、太陽電池モジュール１の裏面側を屋根上に配置した瓦桟１０８に固定するための裏面側係止金具１７、上段側の太陽電池モジュールの係止片を係止するための表面側係止金具１８などから成るが、このような構造に限らない。
【００２２】
図２（Ａ）（Ｂ）及び図３に示すように、この実施形態の太陽電池モジュール固定具２は、上記太陽電池モジュール１の枠１１に設けられている係止片１２が差し込まれる係止片支持部２１と、この係止片支持部２１を屋根１０１に固定する設置固定部２２と、を有する。そして、上記の係止片支持部２１は、上記係止片１２の下面を受け止める第１荷重受け部２１Ａと、上記係止片１２の上面を受け止める第２荷重受け部２１Ｂと、を有する。
【００２３】
上記の太陽電池モジュール固定具２においては上記第１荷重受け部２１Ａと上記第２荷重受け部２１Ｂとが交互配置されている。このような交互配置の構造は、例えば、係止片支持部２１を得る前段階の平板部分に対して剪断・プレス加工を行うことで得ることができる。
【００２４】
このように交互配置される第１荷重受け部２１Ａと第２荷重受け部２１Ｂとの境界線上には応力が集中しやすいので、この実施形態においては、上記第１荷重受け部２１Ａと上記第２荷重受け部２１Ｂとの境界線上を横切る一本の断面円弧形状の補強リブ２３を形成している。この補強リブ２３は上記プレス加工で形成することができる。なお、このような一本の補強リブ２３ではなく、各々の境界線上の位置に個別に補強リブを設けてもよいものである。
【００２５】
上記第２荷重受け部２１Ｂの先端側には上記第１荷重受け部２１Ａの先端よりも少し手前側で立ち上げられ軒側へ下り傾斜させられるガイド部２１Ｃが形成されている。また、上記ガイド部２１Ｃの上端側には上記第２荷重受け部２１Ｂと略平行となるように折り曲げられた受け部２１Ｄが形成されている。
【００２６】
上記太陽電池モジュール固定具２の設置固定部２２は、屋根１０１に配置された桟木（本願では、広小舞も桟木の一形態であるとする）１０２の上面に接して設けられ、螺子釘１０３によって桟木１０２に固定される。上記の設置固定部２２には上記の螺子釘１０３が挿通される貫通穴２５が形成されている。更に、上記の設置固定部２２には、上記桟木１０２に接して当該太陽電池モジュール固定具２の位置決めを行う位置決め部位２４が設けられている。この位置決め部位２４は、設置固定部２２の一部分が剪断されるとともに当該設置固定部２２に一部が繋がって折り曲げられて成るものである。このような位置決め部位２４を有することにより、上記桟木１０２を基準にして太陽電池モジュール固定具２を手際よく正しい位置に配置していくことができる。
【００２７】
なお、屋根１０１の軒側に鼻隠し１０４が配置されており、この鼻隠し１０４に雨樋１０５が釘１０６によって固定されている。雨樋１０５は上記の軒先第１段目に配置された太陽電池モジュール１の水下側の下方に位置することになる。
【００２８】
ここで、太陽電池モジュール１上に雪が積もったときの積雪荷重は太陽電池モジュール１を下方へと押さえる力となる。この実施形態では、上記積雪荷重が軽いうちは、上記の受け部２１Ｄが太陽電池モジュール１の枠１１に当たるので、この受け部２１Ｄが太陽電池モジュール１の荷重を受けることになるが、積雪荷重が重くなり、上記ガイド部２１Ｃが傾いていくと、太陽電池モジュール１の枠１１に形成されている係止片１２の下面を第１荷重受け部２１Ａが受け止めるので、積雪荷重は太陽電池モジュール１の係止片１２から枠１１へ伝達される。また、軒先に風が吹いたときの風荷重は太陽電池モジュール１を上方へと持ち上げる力となるが、上記係止片１２の上面を第２荷重受け部２１Ｂが受け止めてくれるので、風荷重は太陽電池モジュール１の係止片１２から上記枠１１へ伝達されることになる。
【００２９】
次に、図４を参照して太陽電池モジュール１の屋根上固定を説明していく。
【００３０】
まず、図４の（Ａ）に示すように、太陽電池モジュール１の裏面側係止金具１７を瓦桟１０８上に載せた状態で太陽電池モジュール１の係止片１２を太陽電池モジュール固定具２のガイド部２１Ｃの上端箇所若しくは受け部２１Ｄ上に置く。
【００３１】
ここで、太陽電池モジュール１の裏面側係止金具１７を屋根１０１上の瓦桟１０８に載せた状態を維持しながら太陽電池モジュールを回動させると、太陽電池モジュール１の先端側の上記係止片１２は屋根傾斜に平行な方向ではなくて下方側へと位置を変位させていく。厳密には、太陽電池モジュールが水平線に対して１９°傾斜して配置されている場合、図４において、上記係止片１２は垂直方向に対して反時計回りに約１９°傾いて下方へと位置を変位させていく。
【００３２】
一方、上記ガイド部２１Ｃは上記太陽電池モジュール１における上記係止片１２を屋根傾斜に平行な方向ではなくて下方へと案内するように傾斜している。上記ガイド部２１Ｃの傾斜角度の範囲については後で説明を行う。なお、太陽電池モジュール固定具２が屋根上に配置される姿勢をとるときの水平ラインに対する上記ガイド部２１Ｃの立ち上げの傾斜角度をθとする。
【００３３】
上記のごとく裏面側係止金具１７を瓦桟１０８に載せた状態を維持しながら太陽電池モジュール１を回動させると、上記係止片１２は上記ガイド部２１Ｃによって下方に案内されるが、上記ガイド部２１Ｃは上記のごとく傾斜しているので、太陽電池モジュール１は軒先方向に少し移動する。この移動量は、ガイド部２１Ｃの長さに上記傾斜角度θの余弦を乗算した値となり、この実施形態では、７ｍｍ程度としている。また、この実施形態では、上記裏面側係止金具１７の裏面にストッパ片１７ａを形成しており、上記移動を上記ストッパ片１７ａによって制限するようにしている。
【００３４】
そして、図４の（Ｂ）に示すように、太陽電池モジュール１の係止片１２がガイド部２１Ｃの下端（第２荷重受け部２１Ｂの先端）にさしかかるとき、上記ストッパ片１７ａによって太陽電池モジュール１の移動が制限される状態または上記移動が制限される少し前の状態となる。この状態の後、太陽電池モジュール１の自重によって或いは太陽電池モジュール１の軒先側を少し下方に押さえ込むことにより、太陽電池モジュール１の係止片１２がガイド部２１Ｃの下端を越えることになる。
【００３５】
太陽電池モジュール１の係止片１２がガイド部２１Ｃの下端を越えると、係止片１２が第２荷重受け部２１Ｂに対面し係止される。この状態で太陽電池モジュール１は水平ラインに対して１９°傾斜して位置することになる。
【００３６】
そして、図４の（Ｃ）に示すように、太陽電池モジュール１を棟側に引き上げ、係止片１２を第２荷重受け部２１Ｂの下面側に位置させる。この位置で上記ストッパ片１７ａと上記瓦桟１０８との間には上記移動量の７ｍｍと同程度の隙間が形成されることになる。上記引き上げの後に上記裏面側係止金具１７に螺子釘１０３を打ち込むことにより、太陽電池モジュール１の後端側を瓦桟１０８に固定する。
【００３７】
このように、太陽電池モジュール１を屋根の軒側第１段目に配置するときに、当該太陽電池モジュール１を軒先方向に大きく送り出すような作業を行わなくても太陽電池モジュール１の上記係止片１２を上記係止片支持部２１に係止させることが可能となる。これにより、太陽電池モジュール１を屋根１０１の軒先側に設置するときの作業の容易化及び効率化が図れる。また、太陽電池モジュールを軒先側へ大きく送り込むことはないので、作業の安全性も向上する。
【００３８】
図５は太陽電池モジュール固定具２のガイド部２１Ｃにおける水平ラインに対する傾斜角度θの範囲を示した説明図である。なお、屋根の傾斜角としては、例えば、３２°、２４°、１４°などがあり、これら傾斜の異なる屋根に対して例えば図２の固定具２を共通的に用いることができる。上記ガイド部２１Ｃの傾斜のあり方としては、太陽電池モジュール１が回動するときにその自重によって或いは作業者が上から下方に太陽電池モジュール１を押すことで太陽電池モジュール１（係止片１２）がガイド部２１Ｃの傾斜に沿って移動してくれることが挙げられる。また、傾斜角度θが小さいほど上記ガイド部２１Ｃの長さは長くなり、この長さが長ければ長いほどガイド部２１Ｃの先端側が太陽電池モジュール１の内側に入り込むことになる。これらのことを考慮した場合の上記ガイド部２１Ｃの傾斜角度θは４４°以上とし、望ましくは４５°よりも大とするのがよい。
【００３９】
その一方、上記ガイド部２１Ｃの傾斜角度θが９０°を越える場合には、上記ガイド部２１Ｃはガイドとして十分に機能することはできない。上記ガイド部２１Ｃが係止片１２に対するガイドとして機能するためには、上記ガイド部２１Ｃの傾斜角度θは、９０°未満とし、望ましくは８４°以下とするのがよい。
【００４０】
すなわち、太陽電池モジュール固定具２が屋根傾斜角が異なる場合において共通して用いられるときでも、太陽電池モジュール固定具２が屋根上に設置された姿勢で、上記ガイド部２１Ｃの水平ラインに対する立ち上がりの傾斜角度θは、図５にも示したように、４４°≦θ＜９０°の範囲内に在るように設定されるものとする。そして、望ましくは、４５°＜θ≦８４°の範囲内に在るように設定される。
【００４１】
図６は他の実施形態の太陽電池モジュール固定具３を用いた屋根構造を示した断面図である。この太陽電池モジュール固定具３は、係止片支持部３１と、この係止片支持部３１を屋根１０１に固定する設置固定部３２と、を有する。そして、上記の係止片支持部３１は、太陽電池モジュール１の係止片１２の下面を受け止める第１荷重受け部３１Ａと、上記係止片１２の上面を受け止める第２荷重受け部３１Ｂと、を有する。上記第１荷重受け部３１Ａと上記第２荷重受け部３１Ｂとは交互配置されている。上記第２荷重受け部３１Ｂの先端側には上記第１荷重受け部３１Ａの先端よりも少し手前側で立ち上げられ軒側へ下り傾斜させられるガイド部３１Ｃが形成されている。このガイド部３１Ｃの立ち上がりの傾斜角度θも、４４°≦θ＜９０°の範囲とされ、望ましくは、４５°＜θ≦８４°の範囲とされる。また、上記ガイド部３１Ｃの先端側には上記第２荷重受け部３１Ｂと略平行となるように折り曲げられた受け部３１Ｄが形成されている。また、上記第１荷重受け部３１Ａと上記第２荷重受け部３１Ｂとの境界線上に補強リブ３３を形成してある。
【００４２】
一方、太陽電池モジュール固定具３の設置固定部３２は、屋根１０１上に位置する第１部位３２Ａと上記屋根１０１上に位置する横桟３０を跨ぐ第２部位３２Ｂとを有する。そして、上記第１部位３２Ａの裏面には当該裏面と屋根１０１の面との間に隙間を形成する逆円錐台形状の凸部３４が形成されている。この凸部３４は、設置固定部３２に対するプレス加工により形成することが可能であり、このプレス加工による場合には上記第１部位３２Ａの表面の側には上記逆円錐台形状とは逆形状であるすり鉢状の凹部が形成されることになる。このような凸部３４を有する構成であれば、屋根１０１上を伝う雨滴は上記の太陽電池モジュール固定具３の設置固定部３２に遮られることなく、上記第１部位３２Ａの下を通って軒先へと伝っていくことができる。なお、上記凸部３４の中央箇所及び第２部位３２Ｂの所定箇所には、螺子釘１０３を挿通させる貫通穴が形成されている。
【００４３】
上記横桟３０は、例えば上記の太陽電池モジュール固定具３を構成する素材（例えば、スチール）と同じ素材から成り、この素材の平板を折り曲げて３面を形成することで断面が略コ字形状となるようにしたものである。この横桟３０はその開口側となる縁部分を下側にして屋根１０１に配置されている。そして、上記縁部分には上記雨滴が通過していけるように図示しないスリットが形成されている。
【００４４】
上記の横桟３０は上記第２部位３２Ｂに固着されていてもよい。このような構成であれば、太陽電池モジュール固定具３の屋根１０１上への設置作業が迅速に行えることになる。なお、上記固着はリベットや溶接などを用いて行うことができる。また、横桟３０にも上記の第２部位３２Ｂに形成される釘用の貫通穴に対応した貫通穴が形成されている。
【００４５】
また、図６に示した屋根構造においては、太陽電池モジュール１における太陽電池パネル部１４の下面と太陽電池モジュール固定具３との間に止水部材１０７を設けており、第１荷重受け部３１Ａと第２荷重受け部３１Ｂとの根元部分に生じる隙間からの雨水侵入を防止している。この止水部材１０７は柔軟性を有するゴム材などからなる。この止水部材１０７は太陽電池モジュール固定具３を用いる場合に限らず、他の形態の太陽電池モジュール固定具を用いる場合にも設けることができる。
【００４６】
以上説明した例では、第１荷重受け部と第２荷重受け部の両方を備える太陽電池モジュール固定具を示したが、第１荷重受け部を有しない固定具も採用することができる。
【符号の説明】
【００４７】
１      太陽電池モジュール
１１    枠部
１２    係止片
１４    太陽電池パネル部
１７    裏面側係止金具
１７ａ  ストッパ片
２      太陽電池モジュール固定具
２１    係止片支持部
２１Ａ  第１荷重受け部
２１Ｂ  第２荷重受け部
２１Ｃ  傾斜部
２１Ｄ  受け部
２２    設置固定部
２３    補強リブ
２４    位置決め部位
３      太陽電池モジュール固定具
３１    係止片支持部
３１Ａ  第１荷重受け部
３１Ｂ  第２荷重受け部
３１Ｃ  傾斜部
３１Ｄ  受け部
３２    設置固定部
３２Ａ  第１部位
３２Ｂ  第２部位
３３    補強リブ
１０２  横桟
１０８  瓦桟
【図１】
0005490634.tif 000002
【図２】
0005490634.tif 000003
【図３】
0005490634.tif 000004
【図４】
0005490634.tif 000005
【図５】
0005490634.tif 000006
【図６】
0005490634.tif 000007